(57)【特許請求の範囲】
【請求項１】
顔全面を被覆し、目、鼻及び口部分に開口部を有する美容用フェイスマスクであって、１枚のシート材からなり、マチが形成されるように部分的に接合され顔面を覆うように立体的に構成されており、接合部に、筒状又は袋状に成形された保液部を有し、該保液部が肌側に設けられている、美容用フェイスマスク。
【請求項２】
前記保液部が保水性材料を保持する、請求項１に記載の美容用フェイスマスク。
【請求項３】
化粧料が前記シート材に含浸されている、請求項１又は２に記載の美容用フェイスマスク。
【請求項４】
請求項１〜３のいずれかに記載の美容用フェイスマスクの製造方法であって、目、鼻及び口部分に開口部を有する１枚のシート材を、マチが形成されるように部分的に接合して筒状又は袋状の保液部を形成し、シート材を反転して前記保液部を内側に配置する、美容用フェイスマスクの製造方法。
【請求項５】
前記保液部の形成の際に、マチに保水性材料を挟み込んで接合する、請求項４に記載の美容用フェイスマスクの製造方法。
【発明の詳細な説明】
【技術分野】
【０００１】
本発明は、美容用フェイスマスクに関し、詳しくは、美容液や化粧水等の化粧料を含浸させて人の顔面を被覆しうる美容用フェイスマスクに関する。
【背景技術】
【０００２】
従来、美容用フェイスマスクは、平面状のものが用いられている。しかしながら、平面状のフェイスマスクは、顔面の凹凸に全面的に密着させることが困難であり、部分的に顔から浮いて密着不十分な箇所が生じたり、少しの顔面の動きによって剥離したりするという問題がある。
このような問題を解決するために、近年、顔面に密着することができる立体的なフェイスマスクが検討されている（例えば特許文献１を参照）。
【先行技術文献】
【特許文献】
【０００３】
【特許文献１】特開２００７−３３０３２９号公報
【発明の概要】
【発明が解決しようとする課題】
【０００４】
一般的に、特許文献１に記載されているような立体的なフェイスマスクは、顔面の左半面及び右半面をそれぞれ被覆する２枚の不織布を、額部分から鼻先部分を経て顎先部分に至る形状に沿うように熱圧着することで製造される。そして、このような立体的なフェイスマスクを使用者が装着する際には、マスクの左右を引っ張りながら顔面に密着させる。
しかしながら、マスクの左右を引っ張ると、圧着部分を裂く方向に力がかかるため、特に美容液や化粧水を含浸させたマスクでは圧着部分から剥がれてしまい、２枚の不織布に分裂して使用性を損なうことがある。また、前記圧着部分は顔の中心線に沿って形成されているため、使用者が最も手入れすることを望んでいる額及び鼻筋（いわゆるＴゾーン）においてマスクが浮いて密着不十分になり、Ｔゾーンに美容液や化粧水を十分に浸透させることができないことがある。
【０００５】
本発明の課題は、額及び鼻筋のいわゆるＴゾーンに美容液や化粧水等の化粧料を十分に浸透させることができる、立体的な美容用フェイスマスクを提供することにある。
【課題を解決するための手段】
【０００６】
すなわち、本発明は、顔全面を被覆し、目、鼻及び口部分に開口部を有する美容用フェイスマスクであって、１枚のシート材からなり、マチが形成されるように部分的に接合され顔面を覆うように立体的に構成されており、接合部に、筒状又は袋状に成形された保液部を有し、該保液部が肌側に設けられている、美容用フェイスマスクを提供する。
【発明の効果】
【０００７】
本発明の美容用フェイスマスクは、立体的に形成され顔面に密着することができ、化粧料を十分に浸透させることができる。また、接合部に筒状又は袋状に成形された保液部を有するため、接合部の浮きを解消するとともに、多少の浮きがあったとしても保液部から化粧料が潤沢に供給され、化粧料の効果的な肌への浸透が可能となる。また、１枚のシート材からなるため、裁断によるシート材の無駄をなくすことができるとともに製造工程が簡便になり、製造コストを低くすることができる。また、仮に使用者が装着する際に圧着部分が剥がれたとしても、２枚のシート材からなるフェイスマスクのように完全に分裂してしまうことはなく、使用性が著しく損なわれる心配もない。
【図面の簡単な説明】
【０００８】
【図１】図１は、本発明の美容用フェイスマスクの斜視図である。
【図２】図１の美容用フェイスマスクのＡ矢視端面図である。
【図３】図２のＡ矢視端面図に対応する、別の好ましい実施態様における端面図である。
【発明を実施するための形態】
【０００９】
以下、本発明の好ましい一実施態様について、添付の図面に基づいて詳細に説明する。図１は、本発明の美容用フェイスマスクの斜視図であり、図２は、図１の美容用フェイスマスクのＡ矢視端面図である。
【００１０】
図１に示す美容用フェイスマスク１は、顔全面を被覆するものであり、立体的に形成されている。美容用フェイスマスク１は、目、鼻及び口部分に開口部６（６１、６２及び６３）を有する。開口部６は、完全に開口していなくともよく、一部が結合したスリットであってもよい。特に、目の部分の開口部６１は、まぶたに化粧料を浸透させる観点から、一部が結合した円弧状スリットであることが好ましい。また、鼻の部分の開口部６２は、小鼻に化粧料を浸透させる観点から、一部が結合したスリットであることが好ましい。
【００１１】
美容用フェイスマスク１は、１枚のシート材２からなり、マチ３が形成されるように部分的に接合され顔面を覆うように立体的に構成されている。これにより、顔面に密着することができ、化粧料を十分に浸透させることができる。例えば、マチは、図示したように額部分や鼻溝部分、顎先部分、頬部分に形成されていてもよく、目尻からこめかみに至る位置等に形成されていてもよい。
【００１２】
マチ３同士が接合した接合部４には、筒状又は袋状に成形された保液部５が形成されている。保液部５は、肌への化粧料の浸透性、マスク装着時の外観、及び肌への密着性の観点から、肌側に設けられていることが好ましい。
【００１３】
保液部５は、所望量の化粧料の供給の観点から、保水性材料を保持することが好ましい。保水性材料としては、化粧料を保持する能力の高い素材が好ましく、特に、潤沢な化粧料の供給の観点からは、シート材よりも化粧料を保持する能力の高い素材が好ましい。保水性材料の具体例としては、綿、毛等の自然繊維や、ポリアクリル酸系の高吸水性ポリマー等が挙げられる。
【００１４】
シート材２の材質は、塩化ビニル、ポリウレタン、ポリエステル、ポリエチレン等の化学繊維、綿、毛等の自然繊維、樹脂、ゴム等により構成される編地、織り地、不織布、フィルム、樹脂形成体等、特に限定されないが、成形容易性、熱圧着可能性、薬液の含浸性及びコストの観点から、不織布が好ましい。
シート材同士を接合する手段としては特に限定されないが、熱圧着、ニードルパンチ、縫合等を例示することができる。中でも、製造コストの観点から、熱圧着が好ましい。
【００１５】
本発明のフェイスマスクは、美容液、乳液、化粧水等の化粧料が含浸されていることが好ましい。
【００１６】
本発明の美容用フェイスマスクの製造方法について説明する。まず、顔全面を被覆するのに十分な大きさの１枚のシート材に、目、鼻及び口部分に対応する開口部を設ける。次いで、目、鼻及び口部分に開口部を有する１枚のシート材を部分的に接合して、顔面に密着できるように立体的に形成する。このとき、シート材２の非肌当接面同士が対向するように重ね合わせてマチ３とし、筒状又は袋状の空間が形成されるように肌当接面から接合して接合部４を形成することが好ましい。このようにして、接合部４に筒状又は袋状の保液部５を形成する。この保液部の形成の際、マチに保水性材料を挟み込んで接合することも製造工程の簡便化の観点から好ましい。最後に、非肌当接面が外側、肌当接面が内側となるようにシート材を裏返すことにより、前記保液部５が内側（肌当接面側）に配置された立体状フェイスマスクを得ることができる。
【００１７】
本発明の美容用フェイスマスクは、立体的に形成されているため、顔面の凹凸に全面的に密着させることができる。
また、保液部を有する接合部を任意の箇所に形成することができ、顔面への密着性を高めることができるとともに、保液部に保持される保水性材料の量を調節することで必要量の化粧料を所望の部位に供給することができる。したがって、使用者が最も手入れすることを望んでいる額及び鼻筋のいわゆるＴゾーンに美容液等の化粧料を十分に浸透させることも可能である。
【００１８】
本発明のフェイスマスクは、１枚のシート材からなるため、裁断によるシート材の無駄をなくすことができるとともに製造も比較的容易であり、製造コストが低い。
また、使用者が装着時にマスクの左右を強く引っ張った場合には、従来と同様に圧着部分が剥がれる可能性はある。しかし、本発明のフェイスマスクは、１枚のシート材からなるため、仮に使用者が装着する際に圧着部分が剥がれたとしても、２枚のシート材からなるフェイスマスクのように完全に分裂してしまうことはなく、使用性が著しく損なわれる心配がない。
【００１９】
以上、本発明をその好ましい一実施態様に基づき説明したが、本発明は前記一実施態様に制限されるものではない。例えば、図３に、別の好ましい実施態様のフェイスマスクの下部端面図を示す。シート材２における接合部４の形成方法としては、図３に示すように、一方のマチを他方のマチの上に重ねて非肌当接面から熱圧着して形成してもよい。この場合、熱圧着後にシート材を裏返すことなく、前記保液部５が内側（肌当接面側）に配置された立体状フェイスマスクを得ることができる。
【産業上の利用可能性】
【００２０】
本発明のフェイスマスクは、美容液や化粧水等の化粧料を含浸させて人の顔面を被覆しうる美容用フェイスマスクとして好適に用いられる。
【符号の説明】
【００２１】
１  美容用フェイスマスク
２  シート材
３  マチ
４  接合部
５  保液部
６  開口部
６１  目の開口部
６２  鼻の開口部
６３  口の開口部
【図１】
0005415934.tif 000002
【図２】
0005415934.tif 000003
【図３】
0005415934.tif 000004